(57)【要約】本発明は、無線通信システムにおける参照信号（Reference Signal；ＲＳ）送受信の方法及び装置に関するものである。この方法において、ＣｏＭＰ及びＭＵ−ＭＩＭＯなどの通信環境に従ってアップリンク（uplink；ＵＬ）復調参照信号（Demodulation-Reference Signal；ＤＭ−ＲＳ）を動的にスイッチングするために参照信号シーケンス生成用パラメータセットを構成するに当たって、５１０個の整数値のうちの１つを表現する９ビット情報である循環遅延ホッピング初期値パラメータＣＣＳＨｉｎｉｔ及び／又は総９ビット情報で構成される仮想セルＩＤパラメータ（ＶＣＩＤ）を含むようにする。これで、ＣｏＭＰシナリオのように通信環境が動的に変化される場合にも、動的に参照信号送受信及びそれを通じてのチャネル推定が可能になる効果がある。
2015517759.tif 000002
【特許請求の範囲】
【請求項１】
無線通信システムにおける端末（ＵＥ）による参照信号の送信方法であって、
送受信ポイントから、０〜５０９の整数値のうちの１つを表わす循環遅延ホッピング（ａ  ｃｙｃｌｉｃ  ｓｈｉｆｔ  ｈｏｐｐｉｎｇｕ）初期値パラメータおよび仮想セル識別子（ａ  ｖｉｒｔｕａｌ  ｃｅｌｌ  ｉｄｅｎｔｉｆｉｅｒ  （ＩＤ））を、上位階層シグナリングを介して受信をし、
前記受信した仮想セルＩＤに基づいて前記参照信号のベースシーケンスを決定し、前記受信した循環遅延ホッピング初期値に基づいて循環遅延ホッピングに関連する擬似ランダムシーケンスの初期値の決定をし、前記循環遅延ホッピングに関連する前記擬似ランダムシーケンスの前記決定した初期値に基づいて参照信号の参照信号シーケンスの循環遅延値の決定をし、
前記決定した前記参照信号シーケンスの循環遅延値および前記決定した前記参照信号シーケンスのベースシーケンスを生成して送信すること、
を含む方法。
【請求項２】
2015517759.tif 000082
【請求項３】
前記循環遅延ホッピング初期値パラメータは、整数値を有し、その正数値は、参照信号シーケンスの生成に使用されるホッピングパターン群の場合の数である１７に、参照信号シーケンスの生成に使用されるシーケンスシフトパターンの場合の数である３０を乗じ、全体として５１０通りの場合を考慮することができる、請求項１に記載の方法。
【請求項４】
前記上位階層シグナリングは、前記循環遅延ホッピング初期値パラメータおよび前記仮想セルＩＤと独立して構成され、前記上位階層シグナリングは、無線資源制御（ａ  Ｒａｄｉｏ  Ｒｅｓｏｕｃｅ  Ｃｏｎｔｒｏｌ）（ＲＲＣ）シグナリングである、請求項１に記載の方法。
【請求項５】
2015517759.tif 000083
【請求項６】
2015517759.tif 000084
【請求項７】
2015517759.tif 000085
【請求項８】
2015517759.tif 000086
【請求項９】
2015517759.tif 000087
【請求項１０】
2015517759.tif 000088
【請求項１１】
2015517759.tif 000089
【請求項１２】
2015517759.tif 000090
【請求項１３】
2015517759.tif 000091
【発明の詳細な説明】
【技術分野】
【０００１】
本発明は無線通信に関し、より詳しくは、無線通信システムにおける参照信号（Reference Signal）の送受信方法及び装置に関する。また、無線通信システムにおける参照信号のためのパラメータの構成方法及びそのためのシグナリング方法に関する。
【背景技術】
【０００２】
現在の種々の通信システムでは、アップリンクまたはダウンリンクを通じて通信環境などに対する情報を相手装置に提供するためにさまざまな参照信号（Reference Signal）が使われている。
【０００３】
また、無線通信システムの性能と通信容量を高めるために、多重セルまたは送受信ポイント協力が導入されている。多重セル協力は、ＣｏＭＰ（cooperative multiple point transmission and reception）ともいう。ＣｏＭＰには隣接するセルが協力してセル境界のユーザに干渉を緩和するビーム回避技法と、隣接するセルが協力して同一なデータを転送するジョイント転送（joint transmission）技法などがある。
【０００４】
ＩＥＥＥ（Institute of Electrical and Electronics Engineers）８０２．１６ｍや３ＧＰＰ（３rd Generation Partnership Project）ＬＴＥ（long term evolution）−Advancedのような次世代の無線通信システムにおいて、セル境界に位置して隣接セルから甚だしい干渉を受けるユーザの性能を改善することが主要要求事項の１つとして台頭しており、これを解決するためにＣｏＭＰが考慮できる。このようなＣｏＭＰに関して多様なシナリオが可能である。
【０００５】
また、無線移動通信システムの発達と共に考慮されるＣｏＭＰの他にも多重ユーザ多重入力多重出力（Multi-user Multi-Input Multi-Output；ＭＵ−ＭＩＭＯ）技術などが論議されるにつれて、各種の通信環境で参照信号が適切に区別されたり統一されたりする必要がある。
【０００６】
したがって、本発明はセルまたはｅＮｏｄｅＢ（evolved NodeB）のような送受信ポイントが特定端末（User Equipment；以下、‘ＵＥ’という）のチャネル状態を推定することに使われるアップリンク参照信号を送受信するに当たって、各ＵＥまたは信号送受信ポイント別に互いに異なるようにするか、または互いに同一であるように動的にスイッチングするために、参照信号シーケンスのためのパラメータセットを構成する方法と、そのために必要な情報をシグナリングする方法を提案する。
【発明の概要】
【発明が解決しようとする課題】
【０００７】
本発明の側面は、参照信号の送受信方法及び装置と、そのための信号シグナリング方法を提供することである。
【０００８】
本発明の他の側面は、ＣｏＭＰシステムにおいて、ＵＥが特定のアップリンク参照信号を生成する時に使用するパラメータセットを構成する方法と、それを用いた参照信号送受信装置及び方法を提供することである。
【０００９】
本発明の他の側面は、ＣｏＭＰシステムにおいて、ＵＥがアップリンク参照信号を転送するに当たって、通信環境によって２つ形態の参照信号のうち、参照信号を選択的に生成して転送するように動的スイッチングし、その際、２つ形態の参照信号のためのパラメータセットを構成する方法である。
【００１０】
2015517759.tif 000003
【００１１】
2015517759.tif 000004
【００１２】
2015517759.tif 000005
【課題を解決するための手段】
【００１３】
2015517759.tif 000006
【００１４】
2015517759.tif 000007
【００１５】
2015517759.tif 000008
【００１６】
2015517759.tif 000009
【００１７】
以上の一般的な説明と以下の詳細な説明とは、例示的で説明的なものであり、特許請求の範囲に記載された発明を詳細に説明するために提供される。他の特徴および側面は、以下の詳細な説明、図面および特許請求の範囲にから明らかである。
【図面の簡単な説明】
【００１８】
添付の図面は、本発明のより良い理解を提供するために含まれ、本明細書の一部を構成して取り込まれる、本発明の例示的な実施形態の説明を行うとともに、本発明の本質を説明するために用いられる。
【００１９】
【図１】本発明の実施形態が適用される通信システムを図示する。
【図２】無線移動通信のアップリンクにおけるＰＵＳＣＨ、ＤＭ−ＲＳ、及びＳＲＳの転送方法の一例を図示する。
【図３】図２で資源ブロック単位で図示された端末ＵＥ１のためのＤＭ−ＲＳを拡大してサブキャリア単位で図示したものである。
【図４】本発明の一実施形態により構成されたパラメータセットの構造を図示する。
【図５】本発明の一実施形態による参照信号送受信方法の全体流れ図である。
【図６】本発明の一実施形態による参照信号送信装置の機能別ブロック図である。
【図７】本発明の一実施形態による参照信号受信及びチャネル測定装置の機能別ブロック図である。
【発明を実施するための形態】
【００２０】
以下、本発明の例示的な実施形態を添付した図面を参照しつつ詳細に説明する。各図面の構成要素に参照符号を付加するに当たって、同一または同様の構成要素に対しては同一の符号を付し、同一のまたは同様の構成要素の説明のくりかえしを省略する場合がある。本発明を説明するに当たって、関連した公知構成または機能に対する具体的な説明が本発明の要旨を曖昧にすることがあると判断される場合にはその詳細な説明は省略する。
【００２１】
また、本発明の構成要素を説明するに当たって、第１、第２、Ａ、Ｂ、（ａ）、（ｂ）などの用語を使用することができる。しかし、このような用語はその構成要素を他の構成要素と区別するためのものであり、その用語により当該構成要素の本質や回順序または順序などが限定されない。ある構成要素が他の構成要素に“連結”、“結合”、または“接続”されると記載された場合、その構成要素はその他の構成要素に直接的に連結または接続できるが、各構成要素の間に更に他の構成要素が“連結”、“結合”、または“接続”されることもできると理解されるべきである。
【００２２】
図１は、本発明の実施形態が適用される通信システムを図示する。
【００２３】
通信システムは、音声、パケットデータなどの多様な通信サービスを提供するために広く配置される。
【００２４】
図１を参照すると、通信システムは、端末１０（User Equipment；ＵＥ）及び端末１０とアップリンク及びダウンリンク通信を遂行する送受信ポイント２０（Transmission/Reception Point）を含む。
【００２５】
本明細書での端末１０またはＵＥ（User Equipment）は、無線通信でのユーザ端末を意味する包括的な概念であって、ＷＣＤＭＡ（登録商標）及びＬＴＥ、ＨＳＰＡなどのＵＥは勿論、ＧＳＭ（登録商標）でのＭＳ（Mobile Station）、ＵＴ（User Terminal）、ＳＳ（SubscriberStation）、無線機器（wireless device）などを全て含む概念として解釈されるべきである。
【００２６】
送受信ポイント２０またはセル（cell）は、一般的に端末１０と通信する地点（station）をいい、基地局、ノード−Ｂ（Node-B）、ｅＮｏｄｅＢ（evolved Node-B）、ＢＴＳ（Base Transceiver System）、アクセスポイント（Access Point）、リレーノード（Relay Node）など、他の用語と呼ばれることができる。
【００２７】
本明細書において、送受信ポイント２０またはセル（cell）は、ＣＤＭＡでのＢＳＣ（Base Station Controller）、ＷＣＤＭＡのＮｏｄｅＢなどがカバーする一部領域を表す包括的な意味として解釈されなければならず、基地局と連結されたＲＲＨ（Radio Remote Head）、リレーノード（relay node）、マクロセルのセクター（sector）、サイト（site）、その他のフェムトセル、ピコセルなどのマイクロセルなど、１つの端末と通信できる全ての形態の装置を意味する包括的な概念として使われる。
【００２８】
本明細書において、端末１０と送受信ポイント２０は本明細書で記述される技術または技術的思想を具現することに使われる送受信主体で、包括的な意味として使われ、特定に称される用語または単語に限定されるものではない。
【００２９】
図１で、１つの端末１０と複数の送受信ポイント２０が図示されたが、本発明はこれに制限されるものではない。１つの送受信ポイント２０が複数の端末１０と通信することが可能であり、また１つの端末１０が１つの送受信ポイント２０と通信することが可能である。
【００３０】
通信システムに適用される多重接続技法には制限がなく、本発明の実施形態はＣＤＭＡ（Code Division Multiple Access）、ＴＤＭＡ（Time Division Multiple Access）、ＦＤＭＡ（Frequency Division Multiple Access）、ＯＦＤＭＡ（OrthogonalFrequency Division Multiple Access）、ＯＦＤＭ−ＦＤＭＡ、ＯＦＤＭ−ＴＤＭＡ、ＯＦＤＭ−ＣＤＭＡのような多様な多重接続技法に適用可能である。
【００３１】
また、本発明の実施形態において、アップリンク転送及びダウンリンク転送は互いに異なる時間を使用して転送されるＴＤＤ（Time Division Duplex）方式、互いに異なる周波数を使用して転送されるＦＤＤ（Frequency Division Duplex）方式、ＴＤＤとＦＤＤとを結合したハイブリッドデュプレキシング（Hybrid Duplexing）方式に適用可能である。
【００３２】
具体的に、本発明の実施形態はＧＳＭ、ＷＣＤＭＡ、ＨＳＰＡを経てＬＴＥ及びＬＴＥ−Ａに進化する非同期無線通信と、ＣＤＭＡ、ＣＤＭＡ−２０００、及びＵＭＢに進化する同期式無線通信分野などに適用できる。このような本発明は、特定の無線通信分野に限定または制限されて解釈されてはならず、本発明の思想が適用できる全ての技術分野を含むものと解釈されなければならない。
【００３３】
図１を参照すると、端末１０と送受信ポイント２０はアップリンク及びダウンリンク無線通信することができる。
【００３４】
送受信ポイント２０は、端末１０にダウンリンク転送を遂行することができる。送受信ポイント２０は、ユニキャスト転送（unicast transmission）のためのダウンリンクデータチャネルとしての物理ダウンリンク共有チャネル（Physical Downlink Shared Channel；以下、‘ＰＤＳＣＨ’という）を転送することができる。また、送受信ポイント２０はＰＤＳＣＨの受信に必要なスケジューリングなどのダウンリンク制御情報及びアップリンクデータチャネル（例えば、物理アップリンク共有チャネル（Physical Uplink Shared Channel；以下、‘ＰＵＳＣＨ’という））での転送のためのスケジューリング承認情報を含むダウンリンク制御情報（Downlink Control Information；以下、‘ＤＣＩ’という）を転送するために使われるダウンリンク制御チャネルとしての物理ダウンリンク制御チャネル（Physical Downlink Control Channel；以下、‘ＰＤＣＣＨ’という）、ＰＤＳＣＨとＰＤＣＣＨの領域を区分する指示子を転送するための物理制御フォーマット指示子チャネル（Physical Control Format Indicator Channel；ＰＣＦＩＣＨ）、アップリンク転送に対するＨＡＲＱ（Hybrid Automatic Repeat request）確認の転送のための物理ＨＡＲＱ指示子チャネル（Physical HARQ Indicator Channel；ＰＨＩＣＨ）などの制御チャネルを転送することができる。以下、各チャネルを介して信号が送受信されることを該当チャネルが送受信される形態に記載することにする。
【００３５】
端末１０は、送受信ポイント２０にアップリンク転送を遂行することができる。また、端末１０は、アップリンク制御信号（ＵＣＩ）を送信するために使用するアップリンクデータチャネルとしてのＰｈｙｓｉｃａｌ  Ｕｐｌｉｎｋ  Ｃｏｎｔｒｏｌ  Ｃｈａｎｎｅｌ（ＰＵＣＣＣＨ）を転送することができ、ＵＣＩは、チャネル状態報告及びアップリンクでデータを送信しようとする場合、資源割当を要求するスケジューリング要請、ＨＡＲＱ ＡＣＫ（acknowledgement）／ＮＡＣＫ（negative ACK）を含み、ＨＡＲＱ ＡＣＫ（acknowledgement）／ＮＡＣＫ（negative ACK）は、ダウンリンク転送ブロックが成功的に受信されたか否かを知らせる。
【００３６】
送受信ポイント２０は、ダウンリンクでセル−固有参照信号（Cell-Specific Reference  Signal；ＣＲＳ）、ＭＢＳＦＮ参照信号（Multicast/Broadcast over Single Frequency Network Reference Signal；ＭＢＳＦＮ−ＲＳ）、端末−固有参照信号（UE-Specific Reference Signal）、位置参照信号（Positioning Reference Signal；ＰＲＳ）、及びＣＳＩ参照信号（Channel Status Information Reference Signal；ＣＳＩ−ＲＳ）を転送することができる。
【００３７】
端末１０は、アップリンクで復調参照信号（Demodulation Reference Signal；ＤＭ−ＲＳ）及びサウンディング参照信号（Sounding Reference Signal；ＳＲＳ）を転送することができる。
【００３８】
図２は、無線移動通信のアップリンクでＰＵＳＣＨ、ＤＭ−ＲＳ、及びＳＲＳの転送方法の一例を図示する。図２で、横軸は時間軸にシンボルを表し、全体的に１つのサブフレームを表す。縦軸は周波数軸に資源ブロック（Resource Block；ＲＢ）を表す。３ｒｄ  Ｇｅｎｅｒａｔａｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）３６．２１１  Ｖ１０．４．０（２０１１−１２）“３ｒｄ  Ｇｅｎｅｒａｔｉｏｎ  Ｐａｒｎｅｒｓｈｉｐ  Ｐｒｏｊｅｃｔ；Ｔｅｃｈｉｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｉｃａｌ  Ｃｈａｎｎｅｌｓ  ａｎｄ  Ｍｏｄｏｌａｔｉｏｎ  （Ｒｅｌｅａｓｅ  １０）”（以後、ＴＳ３６．２１１という）に定義され、また、図２に示されるように、１サブフレームは、複数のシンボル、例えば１４シンボルを含むことができ、１サブフレームは２つのスロットを含む。また、ＴＳ３６．２１１に定義され、また、図２および図３に示されるように、資源ブロック（ＲＢ）は周波数領域に１２のサブキャリアを含み、時間領域における１スロット（通常の循環プレフィックスの７シンボル）の長さに対応する。本明細書において、上記のＲＢの定義に基づいて本発明の例示的な実施形態を説明する。しかし、本発明の側面は、そのようなものに限定されない。例えば、一つのＲＢのサイズは、異なるように定義されてもよい（例えば、一つのＲＢが周波数領域において異なる数のサブキャリアを含み、時間領域において、異なる長さを有していてもよい）。ここにおける説明において、ＴＳ３６．２１１の開示は、参照がされることにより、ここに取り込まれるものとする。
【００３９】
図２を参照すると、各端末ＵＥ１〜ＵＥ３は各端末ＵＥ１〜ＵＥ３に対し、ＤＣＩにより指示された資源ブロックを通じてＰＵＳＣＨ ２０１、２０３、２０５を転送することができる。各端末ＵＥ１〜ＵＥ３が転送するＰＵＳＣＨ ２０１、２０３、２０５を復調するために使われる参照信号であるＤＭ−ＲＳ ２０２、２０４、２０６は、周波数軸にはＰＵＳＣＨ ２０１、２０３、２０５のような資源ブロックで、時間軸にはサブフレーム内の２つのスロット各々の１つのシンボルで転送さできる。端末が転送するＳＲＳ ２０７はサブフレームの最後のシンボルで転送できる。
【００４０】
ＤＭ−ＲＳ ２０２、２０４、２０６は、ＰＵＳＣＨ ２０１、２０３、２０５転送やＰＵＣＣＨ転送と連携され（図２ではＰＵＳＣＨ転送と連携されたＤＭ−ＲＳが図示される）、復調のためのチャネル測定（channel estimation）のために主に転送される。この際、ＤＭ−ＲＳ ２０２、２０４、２０６は、ＰＵＳＣＨ ２０１、２０３、２０５、またはＰＵＣＣＨが転送される毎サブフレーム内の毎スロット毎に転送される。また、資源ブロック単位で表現されるＤＭ−ＲＳ ２０２、２０４、２０６転送帯域幅（bandwidth；ＢＷ）に対する情報はＰＵＳＣＨ ２０１、２０３、２０５転送やＰＵＣＣＨ転送と連携される。例えば、ＰＵＳＣＨ ２０１、２０３、２０５と連携されるＤＭ−ＲＳ ２０２、２０４、２０６の場合、ＰＵＳＣＨ ２０１、２０３、２０５が割り当てられる資源ブロックでＤＭ−ＲＳ ２０２、２０４、２０６が転送される。したがって、ＤＭ−ＲＳの資源ブロック割当情報はＰＵＳＣＨの資源ブロック割当情報に基づくようになる。この際、各端末ＵＥ１〜ＵＥ３別にＰＵＳＣＨ ２０１、２０３、２０５が割り当てられる資源ブロックはＤＣＩ（Downlink Control Information）の資源ブロック割当に対するフィールド（field）値に従うようになる。
【００４１】
図３は、図２で資源ブロック単位で図示された端末ＵＥ１のためのＤＭ−ＲＳ ２０２を拡大してサブキャリア単位で図示したものである。一例として、図２で端末ＵＥ１のためのＤＭ−ＲＳ ２０２は、４個の資源ブロックを通じて転送され、４個の資源ブロックは各ブロック別に１２個のサブキャリアずつ総４８（=４＊１２）個のサブキャリア（ｒ（０）〜ｒ（４７））から構成される。
【００４２】
2015517759.tif 000010
【００４３】
2015517759.tif 000011
【００４４】
＜数式１＞
【数１】
2015517759.tif 000012
【００４５】
前述した基本シーケンスのｕ値はシーケンス−グループナンバー（sequence-group number）と呼ばれて、以下の＜数式２＞により定まる。
【００４６】
＜数式２＞から理解されるように、シーケンス−グループナンバーｕ値はグループホッピングパターン（group hopping pattern）ｆｇｈ（ｎｓ）とシーケンス−シフトパターン（sequence-shift pattern）ｆｓｓを加えた後、モジュロ（modular）３０演算を行って得る。この結果、ｕ値は、これを通じて０から２９まで総３０個の値を有することができる。
【００４７】
2015517759.tif 000013
【００４８】
＜数式２＞
【数２】
2015517759.tif 000014
【００４９】
2015517759.tif 000015
【００５０】
2015517759.tif 000016
【００５１】
＜数式３＞
【数３】
2015517759.tif 000017
【００５２】
2015517759.tif 000018
【００５３】
2015517759.tif 000019
【００５４】
＜数式４＞
【数４】
2015517759.tif 000020
【００５５】
2015517759.tif 000021
【００５６】
2015517759.tif 000022
【００５７】
【表１】
2015517759.tif 000023
【００５８】
一方、ＣｏＭＰは送受信ポイント間に互いに異なるセルＩＤ（cell ID）を有するＣｏＭＰシナリオ１／２／３環境と、送受信ポイント間に互いに同一なセルＩＤ（cell ID）を有するＣｏＭＰシナリオ４環境がある。
【００５９】
一方、ＵＥがセル端（cell-edge）にあるか否かと、ＣｏＭＰの適用の有無、またはＣｏＭＰシナリオに従ってＵＥに対してアップリンク参照信号転送時、セル間（または、ポイント間）直交性（Inter-cell（または、Inter-point）orthogonality）を保証しなければならない場合があり、一方、セル（または、ポイント）間の直交性が必ず必要ではない場合、セル（または、ポイント）間のランダムな干渉（Inter-cell（または、Inter-point）interference randomization）のための疑似ランダム（pseudo randomization）または準−直交（quasi-orthogonality）状態を保証する場合がありうる。
【００６０】
本発明の例示的な実施形態によれば、ＵＥがアップリンクＤＭ−ＲＳを転送する時、セル間直交性を保証するためにはＤＭ−ＲＳの基本シーケンスが同一でなければならず、前述した＜表１＞のような互いに異なるＣＳ（cyclic shift）や直交シーケンス（ＯＣＣ）などを通じて直交性を確保することができる。それとは異なり、ポイント間疑似ランダムまたはポイント間準−直交状態ではＤＭ−ＲＳの基本シーケンスが互いに異ならなければならない。
【００６１】
したがって、通信環境に従って前述したセル間直交性を与えるためのモードと、セル間干渉をランダムにするためのモード間の動的スイッチング（dynamic Switching）が必要であり、より詳しくは、以下のように説明できる。
【００６２】
即ち、２つの構成セットまたはパラメータセット間の動的スイッチングが必要であり、適用シナリオは次の通りである。
【００６３】
セル間直交性またはポイント間直交性を保証するために、ＵＥの間に互いに同一なＤＭ−ＲＳ基本シーケンスを生成しなければならない第１モードと、疑似ランダムまたは準−直交状態のようにＵＥの間に互いに異なるＤＭ−ＲＳ基本シーケンスを生成する第２モードがあり、第１モード及び第２モードは再びＣｏＭＰシナリオに従って細分できる。
【００６４】
同一なＤＭ−ＲＳ基本シーケンスを生成しなければならない第１モードでは、もしＣｏＭＰシナリオ１／２／３であれば、ＣｏＭＰセット内で共通する基本シーケンスを生成しなければならないが、この場合、ＣｏＭＰシナリオ１／２／３では基本的にセルＩＤが互いに相異するので、共通のＤＭ−ＲＳシーケンスを生成するための共通のパラメータを別途にＵＥにシグナリングしてくれなければならない。
【００６５】
一方、セルＩＤが同一なＣｏＭＰシナリオ４であれば、現在の方式（例えば、LTE Release 10）のようにＵＥが属するセルまたは送受信ポイントに基づいてＤＭ−ＲＳシーケンスを生成することで充分である。即ち、ＣｏＭＰシナリオ４は送受信ポイント間のセルＩＤが互いに同一であるので、現在のセル固有の方式により基本シーケンスを生成しても互いに同一な基本シーケンスの生成が可能であるということである。
【００６６】
互いに異なるＤＭ−ＲＳ基本シーケンスを生成しなければならない第２モードでは、第１モードと反対に、もし、セルＩＤが各々異なるＣｏＭＰシナリオ１／２／３では現在の方式（例えば、LTE Rel-10）のようにＵＥが属するセルまたは送受信ポイントに基づいてＤＭ−ＲＳシーケンスを生成することで充分な一方、セルＩＤが同一なＣｏＭＰシナリオ４ではＵＥ別または送受信ポイント別に互いに異なる特定した基本シーケンスを生成するために、別途のパラメータをＵＥにシグナリングしてくれなければならない。
【００６７】
即ち、互いに異なるＤＭ−ＲＳ基本シーケンスを生成しなければならない第２モードで、かつＣｏＭＰシナリオ４の場合には、送受信ポイント間のセルＩＤが同一であるので、現在のセル固有方式により基本シーケンスを生成する場合、互いに異なる基本シーケンスの生成が不可能であるので、ＵＥ−固有または送受信ポイント固有（Point-specific）の基本シーケンスの生成のための別途のシグナリングが必要であるということである。
【００６８】
このように、通信環境に従って第１モードと第２モードとの間の動的なスイッチングのために、２つのパラメータセットが定義されて使用できる。
【００６９】
２つのパラメータセット（セットＡ及びセットＢ）を定義する方法は、以下のように具現できるが、本発明はそれに限定されるものではない。
【００７０】
まず、パラメータセットＡまたは第１パラメータセットは、現在方式（例えば、LTE Rel-10）によりＵＥが属したセルまたは送受信ポイントに基づいて基本シーケンスを生成するためのパラメータセットとして定義することができる。このようなパラメータセット１は、現在のセルＩＤをそのまま利用すればよいので、ＲＲＣシグナリングなどの形態にＵＥに転送することもできるが、既にＵＥが知っている情報であるので、別途にシグナリングされないこともある。
【００７１】
また、パラメータセットＢまたは第２パラメータセットは、現在のセルＩＤなどのパラメータとは異なり、ＣｏＭＰシナリオ１／２／３の場合には共通基本シーケンスを生成するためのパラメータ、またはＣｏＭＰシナリオ４の場合にはＵＥ−固有または送受信ポイント−固有の互いに異なる基本シーケンスを生成するためのパラメータとして定義できる。このようなパラメータセットＢは、現在ＵＥが知っている情報でないので、送受信ポイントが別途に構成してＲＲＣなどにＵＥにシグナリングしてくれなければならない。
【００７２】
勿論、２つのパラメータセットの構成は上記方式に限定されるものでなく、例えばパラメータセットＡを共通基本シーケンスの生成のためのパラメータ（即ち、ＣｏＭＰシナリオ４では既存のセルＩＤなどの既存パラメータであり、ＣｏＭＰシナリオ１／２／３では別途に構成されなければならないパラメータ）として定義し、パラメータセットＢは、ＵＥ−固有または転送ポイント固有の互いに異なる基本シーケンスを生成するためのパラメータ（即ち、ＣｏＭＰシナリオ４の場合には別途に構成されなければならないパラメータであり、ＣｏＭＰシナリオ１／２／３では既存のセルＩＤのような既存パラメータ）として定義できる。既存パラメータは、ＴＳ３６．２１１に定義されているセルＩＤを含むことができる。
【００７３】
一方、送受信ポイントは前述したように定義された２つ形態のパラメータセットのうち、１つ以上を構成してＵＥに転送すること以外に、ＵＥがＤＭ−ＲＳを生成するに当たって、２つ形態のパラメータセットのうち、どれを用いるかを選択する“指示情報”を構成してＵＥに転送する必要がある。
【００７４】
このような指示情報は、ＵＥが属しているネットワーク構成、例えば、ＣｏＭＰシナリオ１／２／３か、またはＣｏＭＰシナリオ４か否かなどによって次の内容を意味する。
【００７５】
ＣｏＭＰシナリオ１／２／３の場合、上記指示情報はセル間直交性のために共通基本シーケンスを用いるか否か、または既存方式のようにＵＥが属したセル（送受信ポイント）に基づいて生成されるＵＥ−固有またはポイント固有の互いに異なる基本シーケンスを用いるかに対する指示情報であって、２つパラメータセットのうち、それに該当するパラメータセットを指示する情報でもある。
【００７６】
一方、ＣｏＭＰシナリオ４の場合、上記指示情報は、既存方式によりセル間直交性を確保するためにＵＥが属したセル（送受信ポイント）に基づいて生成される共通基本シーケンスを用いるか否か、または上記ＵＥ−固有またはポイント固有の互いに異なる基本シーケンスを用いるかに対する指示情報であって、２つパラメータセットのうち、それに該当するパラメータセットを指示する情報でもある。
【００７７】
ＤＭ−ＲＳを生成する上記２つ形態のパラメータセット（parameter set Aとparameter set B）のうち、どのものを用いるかを指示する指示情報は、動的にＵＥに転送できる。このような指示情報の形態として、追加的な１ビットをＤＣＩに挿入して明示的（explicit）に指示するか、既存ＤＣＩでアップリンクＤＭ−ＲＳと関連して指示されるフィールド（例えば、＜表１＞のＣＳフィールドや、ＲＢ割当フィールドなど）と連携して暗示的（implict）に指示されることもできるが、それに限定されるものではない。
【００７８】
また、２つパラメータセットを如何なるパラメータで構成するかに対してもさまざまな方案が可能であり、以下では２つを例示するが、それに限定されるものではない。
【００７９】
2015517759.tif 000024
【００８０】
2015517759.tif 000025
【００８１】
また、前述したように、ＤＭ−ＲＳを生成する上記２つ形態のパラメータセット（parameter set Aとparameter set B）のうち、どのものを用いるかを指示する指示情報は、動的にＵＥに転送できる。
【００８２】
2015517759.tif 000026
【００８３】
2015517759.tif 000027
【００８４】
ＶＣＩＤ値は、第１方式のようにパラメータセットＡ（ＣｏＭＰセット内で共通するアップリンクＤＭ−ＲＳシーケンスを生成するための値でパラメータが構成される）と、パラメータセットＢ（ＵＥ別に、あるいは送受信ポイント別に互いに特定されたアップリンクＤＭ−ＲＳシーケンスを生成するための値でパラメータが構成される）のために各々別に設定されることもできる。
【００８５】
2015517759.tif 000028
【００８６】
2015517759.tif 000029
【００８７】
2015517759.tif 000030
【００８８】
2015517759.tif 000031
【００８９】
2015517759.tif 000032
【００９０】
上記第１方式及び第２方式での２つ形態のパラメータセットの構成は１つの例に過ぎず、これに基づいて他のパラメータが用途によってさらに追加されることもできる。
【００９１】
一方、前述した第１方式及び第２方式での仮想セルＩＤパラメータであるＶＣＩＤを構成する方式、即ちＶＣＩＤパラメータの使用可能な範囲を基準に以下のように３種類の方式があり、これを仮想セルＩＤパラメータ構成方式１から３で表現することにする。
【００９２】
2015517759.tif 000033
【００９３】
2015517759.tif 000034
【００９４】
仮想セルＩＤ（ＶＣＩＤ）パラメータ構成方式３
ＶＣＩＤ構成方式３では、ＶＣＩＤパラメータが有することができる値の範囲を＜数式２＞及び＜数式３＞を構成するグループホッピングパターン（ｆｇｈ（ｎｓ））及びシーケンス−シフトパターン（ｆｓｓ）の理論的種類の個数である５１０種類に決定する。
【００９５】
2015517759.tif 000035
【００９６】
したがって、ＶＣＩＤ構成方式３では、ＶＣＩＤパラメータの可能な範囲は０から５０９までの整数値であり、この際、ＶＣＩＤパラメータは総９ビットで表現できる。
【００９７】
即ち、ＶＣＩＤパラメータ構成方式１から３全てではＶＣＩＤパラメータが総９ビットで表現され、送受信ポイントは９ビットで表現されるＶＣＩＤパラメータを含むパラメータセットＡ及びＢを生成してＲＲＣシグナリングでＵＥに転送する。
【００９８】
2015517759.tif 000036
【００９９】
2015517759.tif 000037
【０１００】
2015517759.tif 000038
【０１０１】
2015517759.tif 000039
【０１０２】
＜数式５＞
【数５】
2015517759.tif 000040
【０１０３】
2015517759.tif 000041
【０１０４】
2015517759.tif 000042
【０１０５】
2015517759.tif 000043
【０１０６】
2015517759.tif 000044
【０１０７】
＜数式６＞
【数６】
2015517759.tif 000045
【０１０８】
2015517759.tif 000046
【０１０９】
2015517759.tif 000047
【０１１０】
2015517759.tif 000048
【０１１１】
2015517759.tif 000049
【０１１２】
＜数式７＞
【数７】
2015517759.tif 000050
【０１１３】
2015517759.tif 000051
【０１１４】
2015517759.tif 000052
【０１１５】
2015517759.tif 000053
【０１１６】
2015517759.tif 000054
【０１１７】
2015517759.tif 000055
【０１１８】
2015517759.tif 000056
【０１１９】
2015517759.tif 000057
【０１２０】
2015517759.tif 000058
【０１２１】
＜数式８＞
【数８】
2015517759.tif 000059
【０１２２】
2015517759.tif 000060
【０１２３】
2015517759.tif 000061
【０１２４】
この際、パラメータセットに含まれる仮想セルＩＤパラメータ（ＶＣＩＤ）やはりＶＣＩＤパラメータ構成方式３に従う場合、総９ビットで含まれる０から５０９の整数値のうちの１つでありうる（勿論、仮想セルＩＤパラメータ（ＶＣＩＤ）は、上記ＶＣＩＤパラメータ構成方式１または２に従う場合、総９ビットで表現される０から５０３（構成方式１）または０から１０２３（構成方式２）の整数値のうちの１つでありうる）。
【０１２５】
図４は、本発明の一実施形態により構成されたパラメータセットの構造を図示する。
【０１２６】
2015517759.tif 000062
【０１２７】
2015517759.tif 000063
【０１２８】
2015517759.tif 000064
【０１２９】
図５は、本発明の一実施形態による参照信号の送受信方法の全体流れ図である。
【０１３０】
図５に示される流れ図においては、本発明の一実施形態によりＤＭ−ＲＳを生成して送受信ポイント（ｅＮｏｄｅＢなど）に転送するＵＥ側と、ＤＭ−ＲＳを受信して、それから該当ＵＥのチャネル状態を推定する送受信ポイント側全てを含むように図示する。
【０１３１】
2015517759.tif 000065
【０１３２】
各ステップをより具体的に説明すると、次の通りである。
【０１３３】
2015517759.tif 000066
【０１３４】
この際、第１パラメータセット及び第２パラメータセット全てで各々のパラメータに対する情報が転送できる。しかし、既存の通信方式（例えば、ＬＴＥ Ｒｅｌ−１０）と同一な値を有するパラメータはシグナリングされないこともある。即ち、２つのパラメータセットのうちの１つはシグナリングされないこともある。
【０１３５】
ステップＳ５１０でのパラメータセット情報のシグナリングはＲＲＣのような上位階層シグナリングで遂行できるが、それに限定されるものではない。
【０１３６】
ステップＳ５２０で、指示情報はパラメータセットＡとＢのうち、どのパラメータセットにあるパラメータを用いてＵＬ ＤＭ−ＲＳシーケンスを生成するかに対する情報であって、１ビットの明示的な指示方式または暗示的な指示方式により指示できる。このような指示情報のシグナリングはＰＤＣＣＨシグナリングで遂行されることができ、この場合、指示情報はＰＤＣＣＨのＤＣＩに含まれたりＤＣＩから導出されたりすることができるが、それに限定されるものではない。
【０１３７】
2015517759.tif 000067
【０１３８】
＜数式９＞
【数９】
2015517759.tif 000068
【０１３９】
2015517759.tif 000069
【０１４０】
ＵＥは、生成された最終参照信号（ＤＭ−ＲＳ）シーケンスをリソースエレメント（ＲＥ；Resource Element）にマッピングした後、アップリンクＤＭ−ＲＳが含まれたＳＣ−ＦＤＭＡ信号を生成して送受信ポイントに送信する。
【０１４１】
2015517759.tif 000070
【０１４２】
ステップＳ５１０及びＳ５２０でのパラメータセット情報転送及び指示情報転送は、ＵＥについてのステップＳ５１０およびＳ５２０の説明と同様に行われるので、詳細な説明を省略する。
【０１４３】
参照信号（ＤＭ−ＲＳ）を受信し、それを用いてチャネル状態を測定するステップＳ５５０及びＳ５６０をより具体的に説明すると、本発明の一実施形態によるＤＭ−ＲＳが含まれたＳＣ−ＦＤＭＡ信号を受信し、リソースエレメントデマッピング（De-mapping）を遂行してアップリンクＤＭ−ＲＳシーケンスを抽出する。
【０１４４】
具体的には、上記ステップＳ５１０及びＳ５２０で、ＵＥに転送したパラメータセット情報及び指示情報に基づいてＤＭ−ＲＳシーケンスを生成し、受信された信号から抽出されたＤＭ−ＲＳシーケンスと比較することによって、チャネル状態を測定するものである。
【０１４５】
2015517759.tif 000071
【０１４６】
2015517759.tif 000072
【０１４７】
図６は、本発明の一実施形態による参照信号の送信のための装置の機能別ブロック図である。
【０１４８】
このような参照信号の送信のための装置は、ＵＥと連動して、あるいはＵＥと関連して、あるいはＵＥのある側面と関連して具現される。参照信号の送受信のための装置は、ソフトウェアおよび／またはハードウェアを含むことができ、あるいは、ＵＥのソフトウェアおよび／またはハードウェアを使用することができる。本明細書において説明される一つ以上の処理を行うために、参照信号の送信のための装置および／またはＵＥは、一つ以上のプロセッサ、一つ以上のメモリ、一つ以上の送受信部、モデム、制御装置、アンテナ、無線周波数インタフェース、空間インタフェースなどを含むことができる。
【０１４９】
2015517759.tif 000073
【０１５０】
2015517759.tif 000074
【０１５１】
また、上記パラメータセット情報受信部６１０が送受信ポイントから受信するパラメータセット情報は、第１パラメータセット及び第２パラメータセット全てに対する情報でありうるが、既存の通信方式（例えば、ＬＴＥ Ｒｅｌ−１０）と同一な値を有するパラメータはシグナリングされないこともあり、パラメータセット情報のシグナリングはＲＲＣのような上位階層シグナリングで遂行できる。
【０１５２】
また、指示情報受信部６２０が受信する指示情報は、ＰＤＣＣＨのＤＣＩなどに含まれる１ビットの明示的な指示情報のこともあり、ＰＤＣＣＨのＤＣＩから暗示的に導出できる情報のこともある。
【０１５３】
2015517759.tif 000075
【０１５４】
2015517759.tif 000076
【０１５５】
図７は、本発明の一実施形態による参照信号の受信及びチャネル状態の測定装置の機能別ブロック図である。
【０１５６】
このような参照信号の受信およびチャネル状態の測定装置（以後、参照信号の受信装置という）は、基地局、ｅＮｏｄｅＢなどのアップリンク参照信号の受信ポイントに具現されることが一般的である。しかし、本発明の側面においては、それらに限定されるものではない。参照信号の受信装置は、ソフトウェアおよび／またはハードウェアを含み、または基地局（またはｅＮｏｄｅＢ）のソフトウェアおよび／またはハードウェアを利用することができる。本明細書において説明される一つ以上の処理を行うために、参照信号の受信装置およびまたは基地局は、一つ以上のプロセッサ、一つ以上のメモリ、一つ以上の送受信部、モデム、制御装置、アンテナ、無線周波数インタフェース、空間インタフェースなどを含むことができる。
【０１５７】
2015517759.tif 000077
【０１５８】
さらに、上記パラメータセットの各々は、総９ビット情報で構成される仮想セルＩＤパラメータ（ＶＣＩＤ）をさらに含むことができる。
【０１５９】
また、上記パラメータセット情報処理部７１０がＵＥに転送する情報は、第１パラメータセット及び第２パラメータセット全てに対する情報でありうるが、既存の通信方式（例えば、ＬＴＥ Ｒｅｌ−１０）と同一な値を有するパラメータはシグナリングされないこともあり、パラメータセット情報のシグナリングはＲＲＣのような上位階層シグナリングで遂行できる。
【０１６０】
また、指示情報処理部７２０がＵＥに転送する指示情報は、ＰＤＣＣＨのＤＣＩなどに含まれる１ビットの明示的な指示情報のこともあり、ＰＤＣＣＨのＤＣＩから暗示的に導出できる情報のこともあることは前述した通りである。
【０１６１】
2015517759.tif 000078
【０１６２】
2015517759.tif 000079
【０１６３】
2015517759.tif 000080
【０１６４】
2015517759.tif 000081
【０１６５】
本発明の実施形態を構成する全ての構成要素が１つに結合されるか、または結合されて動作することと説明されたとして、本発明が必ずこのような実施形態に限定されるものではない。即ち、本発明の目的範囲内であれば、その全ての構成要素が１つ以上に選択的に結合して動作することもできる。
【０１６６】
以上の説明は、本発明の技術思想を例示的に説明したことに過ぎないものであって、本発明が属する技術分野で通常の知識を有する者であれば、本発明の本質的な特性から外れない範囲で多様な修正及び変形が可能である。したがって、本発明に開示された実施形態は本発明の技術思想を限定するためのものではなく、説明するためのものであり、このような実施形態により本発明の技術思想の範囲が限定されるものではない。本発明の保護範囲は請求範囲により解釈されなければならず、それと同等な範囲内にある全ての技術思想は本発明の権利範囲に含まれるものと解釈されるべきである。
【０１６７】
関連する出願へのクロスリファレンス
本願は、２０１２年５月１１出願の韓国特許出願１０−２０１２−００５０４０６の優先権を主張し、この出願の全体は、本願に記載されたのと同じように組み込まれる。
【図１】
2015517759.tif 000092
【図２】
2015517759.tif 000093
【図３】
2015517759.tif 000094
【図４】
2015517759.tif 000095
【図５】
2015517759.tif 000096
【図６】
2015517759.tif 000097
【図７】
2015517759.tif 000098
【国際調査報告】
2015517759.tif 000099
2015517759.tif 000100